(57)【特許請求の範囲】
【請求項１】
水溶性被覆材料内に包まれる１つ以上の洗剤又は洗剤補助組成物を含有する単一又は複数区画の廃洗剤ポーチをリサイクルする方法であって、
前記方法は、
ｉ）前記廃ポーチを混合チャンバ内に導入する工程；
ｉｉ）所定量の可溶化剤をそこに添加し、前記被覆材料が完全に溶解するのに十分な時間にわたって前記混合物を機械的に混合して溶液を形成する工程；及び
ｉｉｉ）前記得られた溶液を固体又は半固体形態に変換する工程
を含む、方法。
【請求項２】
前記複数区画のポーチが、物理的又は化学的に互いに異なる組成物を含有する少なくとも２つの区画を含む、請求項１に記載の方法。
【請求項３】
前記方法が、混合乾燥機中で行われる、請求項１又は２に記載の方法。
【請求項４】
前記複数区画のポーチが、固体組成物を含有する第１の区画と、液体組成物を含有する第２の区画とを含む、請求項１〜３のいずれか一項に記載の方法。
【請求項５】
前記固体組成物が洗浄漂白剤を含み、且つ前記液体組成物がアミンを含み、前記アミンのアミノ基を本質的に完全に酸化するために、前記方法が前記工程ｉｉ）の混合物に過酸化物を添加するさらなる工程を含む、請求項４に記載の方法。
【請求項６】
不溶性の残留物を分離する工程を含む、請求項１〜５のいずれか一項に記載の方法。
【請求項７】
水溶性被覆材料内に包まれる１つ以上の洗剤又は洗剤補助組成物を含有する複数区画の廃洗剤ポーチをリサイクルする方法であって、
第１の区画が固体組成物を含有し、且つ第２の区画が液体組成物を含有し、及び前記第１の区画が前記第２の区画よりも短い溶解時間を有し、前記方法は、
ｉ）廃ポーチを混合チャンバ内に導入する工程；
ｉｉ）前記第１の区画の前記被覆材料を完全又は部分的に溶解するのに十分な量で可溶化剤をそこに添加し、前記混合物を機械的に混合してスラリーを形成させ、前記混合チャンバ中のポーチの滞留時間が、前記第１の区画の溶解時間よりも長く、且つ前記第２の区画の溶解時間よりも短い工程；
ｉｉｉ）溶解していないポーチ残留物を分離する工程；及び
ｉｖ）前記得られたスラリーを固体又は半固体形態に変換する工程
を含む、方法。
【請求項８】
単一又は複数区画の洗剤ポーチを製造する方法であって、
その１つ以上の区画が、水溶性被覆材料内に包まれる洗剤又は洗剤補助組成物を含有し、前記方法は、
ｉ）１つ以上の開区画を形成させる工程；
ｉｉ）請求項１〜７のいずれか一項に記載の方法によって製造されるリサイクルされた材料を含む洗剤又は洗剤補助組成物で少なくとも１つの開区画を充填又は部分的に充填する工程；及び
ｉｉｉ）前記開区画を閉じ、密閉して、単一又は複数区画のポーチを製造する工程
を含む、方法。
【請求項９】
前記開区画に添加する前に、前記リサイクルされた材料に香料を添加するさらなる工程を含む、請求項８に記載の方法。
【発明の詳細な説明】
【技術分野】
【０００１】
本発明は、洗剤ポーチの分野にあり、特に、ポーチをリサイクルする方法及びそれらから得られる材料の使用に関する。
【背景技術】
【０００２】
ポーチ形態中の洗剤組成物は、消費者の中で人気が高まってきている。このようなポーチの製造方法において、ポーチの製造が所望の製造規格を満たさず、販売に適さない場合がある。これは特に、方法の開始及び終了中、すなわち本方法が定常状態の操作に達する前に製造されるポーチの場合である。
【発明の開示】
【発明が解決しようとする課題】
【０００３】
経済的及び環境的な理由のために、「適していない」ポーチ（本明細書中では「廃」又は「不良」とも呼ばれる）に対処する必要性が存在する。ポーチの性質がこの課題を複雑にする。通常は、ポーチは、化学的及び物理的に非常に異なる性質を有する被覆材料及び洗剤組成物で構成される。この複雑性は、ポーチが１つよりも多い区画を有する場合、特にその区画が異なる組成物を含有する場合に、増大する。
【課題を解決するための手段】
【０００４】
本発明の目的の１つは、残留物をまったく残さないか、又はできるだけ少ない量で、廃洗剤ポーチを処理又はリサイクルする方法を提供することである。別の目的は、ポーチの性能に悪影響を与えることなく、洗剤ポーチにおける再使用に適したリサイクルされた材料を製造することである。
【０００５】
従って、本発明の第１の態様に従って、水溶性被覆材料内に包まれる１つ以上の洗剤又は洗剤補助組成物を含有する単一又は複数区画の廃洗剤ポーチをリサイクルする方法であって、前記方法は、
ｉ）前記廃ポーチを混合チャンバ内に導入する工程；
ｉｉ）所定量の可溶化剤をそこに添加し、前記被覆材料が完全に溶解するのに十分な時間にわたって前記混合物を機械的に混合して溶液を形成する工程；及び
ｉｉｉ）前記得られた溶液を固体又は半固体形態に変換する工程を含む、方法が提供される。
【０００７】
本明細書中で、「廃」ポーチとは、所望の製造規格を満たしていないか、又は配合物又はポーチの外観が販売のための標準を超えないために、販売に適していないとみなされるポーチを意味する。廃ポーチはさらに、販売には適しているが他の理由のために廃棄されるポーチを含む。
【０００８】
本明細書で使用するとき、用語「スラリー」は、一般的に、被覆材料が部分的又は完全に溶解して生じる廃ポーチ及び可溶化剤の混合物を指し、溶解していないポーチ残留物を含む固体分散物又は懸濁物、液体−液体エマルション、溶液及びこれらの混合物の形態における混合物を含む。
【０００９】
好ましい実施形態では、ポーチは、物理的又は化学的に互いに異なる組成物を含有する少なくとも２つの区画を含む複数区画のポーチである。この種類の好ましい実施形態において、複数区画のポーチは、粉末又は錠剤のような固体組成物を含有する第１の区画と、半液体、ゲル又はペースト様形態における組成物を含む液体組成物を含有する第２の区画とを含む。
【００１０】
本発明の方法は、ポーチが全体としてリサイクルされ、異なる区画を分離するための追加の工程の必要性がないため、複数区画のポーチの場合に特に適している。したがって、本方法は、資本コストの節約及び操作コストの低減をもたらすことが可能である。好ましい実施形態では、本発明の処理又はリサイクル方法は、混合乾燥機中で行われる。
【００１１】
複数区画の形態の利点は、異なるポーチ区画に不相溶性の成分を組み込むことができることであるが、この不相溶性は、加工時の問題又は廃処理中の所望でない反応を引き起こす場合がある。例えば、異なる区画中に漂白剤及びアミンを含有するポーチが処理される場合、漂白剤はアミンと反応して非常に望ましくない臭気を発生する場合がある。さらに、リサイクルされた材料が漂白剤を含有する洗剤組成物中に組み込まれる場合、臭気の問題が残る。このことを克服するために、ポーチ／溶媒混合物は、好ましくは過酸化水素のような酸化剤で処理される。さらに、酸化剤の添加は、混合物を脱色し、得られた製品の外観を高める。したがって、本発明の好ましい実施形態では、洗浄漂白剤を含む固体組成物とアミンを含む液体組成物とを含有するポーチの処理又はリサイクル方法は、アミンのアミノ基を本質的に完全に酸化するためにポーチ／溶媒混合物に過酸化物を添加するさらなる工程を含む。したがって、本方法で得られた製品は、漂白剤を含む洗剤粉末組成物中に含まれるのに適している。あるいは、アルデヒドは、酸化剤の代わりにポーチ／溶媒混合物に添加することができる。アルデヒドは、アミンのアミノ基と錯体を形成させる。このことにより、アミンの所望でない反応を止める。本明細書に用いるのに好ましいアルデヒドはシトロネラールである。
【００１２】
本発明は主に、複数区画のポーチ全体のリサイクルに関するが、場合によっては、ポーチの異なる区画を別個にリサイクルすることが好ましい。異なるポーチ区画が異なる溶解時間を有する場合、例えば、区画が異なる被覆材料（例えば、異なる厚み又は異なる化学組成の材料）で製造されている場合に、このことは特に容易である。したがって、本発明の別の態様は、水溶性被覆材料内に包まれる１つ以上の洗剤又は洗剤補助組成物を含有する単一又は複数区画の廃洗剤ポーチをリサイクルする方法であって、第１の区画が固体組成物を含有し、且つ第２の区画が液体組成物を含有し、及び前記第１の区画が前記第２の区画よりも短い溶解時間を有し、前記方法は、
ｉ）前記廃ポーチを混合チャンバ内に導入する工程；
ｉｉ）前記第１の区画の前記被覆材料を完全又は部分的に溶解するのに十分な量で可溶化剤をそこに添加し、前記混合物を機械的に混合してスラリーを形成させ、前記混合チャンバ中のポーチの滞留時間が、前記第１の区画の溶解時間よりも長く、且つ前記第２の区画の溶解時間よりも短い工程；
ｉｉｉ）溶解していないポーチ残留物を分離する工程；及び
ｉｖ）前記得られたスラリーを固体又は半固体形態に変換する工程を含む、方法を提供する。
【００１３】
この方法態様は、固体／液体二区画のポーチのために、特に真空で形成されるポーチのために好ましい。これらのポーチでは、固体区画の被覆材料は、典型的には、液体区画よりもさらに伸長性がある。さらに、固体区画の被覆材料は、真空成形方法を容易にするために時にはピン−プリッキング加工されており、それ故に、この区画は、区画が同じ被覆材料で製造される場合でさえ、液体の区画よりも迅速に溶解する傾向がある。この方法によって製造されるリサイクルされた材料は、組成物の粒度分析又は洗浄性能に悪影響を与えることなく、新規ポーチを製造するための粉末組成物に添加することができる。
【００１４】
本発明の別の態様に従って、単一又は複数区画の洗剤ポーチを製造する方法であって、その１つ以上の区画が水溶性被覆材料内に包まれる１つ以上の洗剤又は洗剤補助組成物を含有し、前記方法は、
ｉ）１つ以上の開区画を形成させる工程；
ｉｉ）上記方法によって製造されるリサイクルされた材料を含む洗剤又は洗剤補助組成物で少なくとも１つの開区画を充填又は部分的に充填する工程；及び
ｉｉｉ）前記開区画を閉じ、密閉して単一又は複数区画のポーチを製造する工程を含む、方法が提供される。
【００１５】
この方法は、廃棄物を生じず、洗剤全体の性能を維持しつつ、不良品ポーチの本質的に全ての材料の使用に関し、経済及び環境的な利益を与える。
【発明を実施するための最良の形態】
【００１６】
本発明は、単一又は複数区画の廃洗剤ポーチをリサイクルする方法に関する。
被覆材料は、２０ミクロンの最大孔径を有するガラスフィルターを用いた後、記載の方法によって測定される場合に、少なくとも５０％、好ましくは少なくとも７５％又は少なくとも９５％の水溶解度を有する場合に水溶性であるとみなされる。
【００１７】
５０グラム±０．１グラムの被覆材料は、あらかじめ秤量した４００ｍＬビーカーに添加され、２４５ｍＬ±１ｍＬの蒸留水が添加される。これは、６２.８ｒａｄ／ｓ（６００ｒｐｍ）に設定された磁性攪拌器で３０分間激しく攪拌される。その後、混合物を上記で定義した孔径（最大２０ミクロン）の折り重ねた定性焼結ガラスフィルターで濾過する。回収した濾液からいずれかの従来法によって水を乾燥させ、残った材料の重量を測定する（これが溶解又は分散画分である）。その後、溶解度％又は分散度％を計算することができる。
【００１８】
好ましい被覆材料は、高分子材料、高分子物質、好ましくはフィルム又はシートへと成形されるポリマーである。被覆材料は、例えば、当該技術分野において既知のような、ポリマー性材料の鋳込み成形、吹込成形、押出成形又は吹込押出成形によって得ることができる。
【００１９】
最も好ましい被覆材料は、クリス−クラフトインダストリアルプロダクツ（Chris-Craft Industrial Products）（ガリー、インディアナ、米国）によって販売されるような商品名モノゾル（Monosol）Ｍ８６３０として知られるＰＶＡフィルム、及び対応する溶解度及び変形特性を有するＰＶＡフィルムである。本明細書で使用するのに好適な他のフィルムには、アイセロから供給される商品照会名ＰＴフィルム若しくはＫ−シリーズフィルム、又はクラレから供給されるＶＦ−ＨＰフィルムとして知られているフィルムが挙げられる。
【００２０】
洗剤組成物は、本明細書中、１つ以上の洗剤活性物質又は補助成分を含むことができる。洗剤活性物質は、ビルダー、研磨剤、キレート剤、漂白剤、界面活性剤、アルカリ性供給源、及び酵素のような慣習的な洗剤成分から選択されてもよい。洗剤補助物質は、仕上げ剤及びケア剤から選択されてもよい。本明細書に用いるのに好適な成分は本明細書中以下に記載される。これらの成分のほとんどは、固体組成物及び液体組成物の両方で使用することができる。
【００２１】
（界面活性剤）
本明細書中で使用するのに適した界面活性剤は、好ましくはそれ自身が低起泡性であるか、又は他の構成要素（すなわち、泡抑制剤）と組み合わされることによって低起泡性である。本明細書において適した界面活性剤としては、アニオン性界面活性剤、例えば、アルキルサルフェート、アルキルエーテルサルフェート、アルキルベンゼンスルホネート、アルキルグリセリルスルホネート、アルキル及びアルケニルスルホネート、アルキルエトキシカルボキシレート、Ｎ−アシルサルコシネート、Ｎ−アシルタウリン酸塩及びアルキルコハク酸塩及びスルホコハク酸（ここで、アルキル、アルケニル又はアシル部分は、Ｃ5〜Ｃ20、好ましくはＣ10〜Ｃ18の直鎖又は分枝鎖である）；カチオン性界面活性剤、例えば、塩素エステル及びモノＣ6〜Ｃ16Ｎ−アルキル又はアルケニルアンモニウム界面活性剤（ここで、残りのＮ位は、メチル、ヒドロキシエチル又はヒドロキシプロピル基によって置換されている）；非イオン性アルコキシル化界面活性剤（特に、Ｃ6〜Ｃ18一級アルコールから誘導されるエトキシレート）、エトキシレート−プロポキシル化アルコール（例えば、ＢＡＳＦポリ−タージェント（Poly-Tergent）（登録商標）ＳＬＦ１８）、エポキシ−末端保護されたポリ（オキシアルキル化）アルコール（例えば、ＢＡＳＦポリ−タージェト（Poly-Tergent）（登録商標）ＳＬＦ１８Ｂ−ＷＯ−Ａ−９４／２２８００を参照）、エーテル−末端保護されたポリ（オキシアルキル化）アルコール界面活性剤、及びブロックポリオキシエチレン−ポリオキシプロピレンポリマーの化合物、例えば、バスフ−ワイアンドッテコーポレーション（BASF-Wyandotte Corp.）（ワイアンドッテ（Wyandotte）、ミシガン）による、プルロニック（PLURONIC）（登録商標）、リバースドプルロニック（REVERSED PLURONIC）（登録商標）、及びテトロニック（TETRONIC）（登録商標）を含む低曇点及び高曇点の非イオン性界面活性剤及びこれらの混合物；両性界面活性剤、例えば、アルキル両性カルボン酸界面活性剤、例えば、ミラノール（Miranol）（商標）Ｃ２Ｍ；及び双性イオン性界面活性剤、例えば、ベタイン及びスルタイン類；並びにこれらの混合物が挙げられる。界面活性剤は、典型的には組成物の約０．２重量％〜約３０重量％、より好ましくは約０．５重量％〜約１０重量％、最も好ましくは約１重量％〜約５重量％の濃度で存在する。本明細書で使用されるのに好ましい界面活性剤は低起泡性であり、このような界面活性剤としては、低曇点の非イオン性界面活性剤、及びより高い起泡性の界面活性剤とそれらの泡抑制剤として作用する低曇点非イオン性界面活性剤との混合物が挙げられる。
【００２２】
本明細書に用いるのに好ましい界面活性剤は、次式を有するアミンオキシドである：
【００２３】
【化１】
0004403143.tif 000002
式中、Ｒ1は、アルキル部分に平均して少なくとも１２個の炭素原子を含有するアルキル、ヒドロキシアルキル、アクリルアミドプロピル及びアルキルフェニル基から選択され；Ｒ2及びＲ3は独立して、１〜３個、好ましくは１個のエチレンオキシド単位を含有するＣ1〜3アルキル及び／又はＣ2〜3ヒドロキシアルキル基及びポリエチレンオキシド基から選択される。好ましいアミンオキシドは、アミンオキシドのＲ1アルキル部分が平均で１３〜１７個の炭素原子を含有するものである。
【００２４】
グリース除去並びに被膜形成及びスポッティング低減の観点から、並びにその環境特性のために、好ましいアミンオキシドは、テトラデシルジメチルアミンオキシド、ヘキサデシルジメチルアミンオキシド及びこれらの混合物である。
【００２５】
（ビルダー）
本明細書に用いるのに好適なビルダーとしては、水溶性硬イオン錯体を形成させるビルダー（金属イオン封鎖ビルダー（sequestering builder））、例えば、クエン酸塩及びポリホスフェート、例えば、トリポリリン酸ナトリウム及びトリポリリン酸ナトリウム六水和物、トリポリリン酸カリウム及びトリポリリン酸ナトリウムとトリポリリン酸カリウムの混合物、及び硬沈殿を形成させる研磨剤（沈澱性ビルダー（precipitating builder））、例えば、炭酸塩、例えば、炭酸ナトリウムが挙げられる。ビルダーは、通常は組成物の約３０重量％〜約８０重量％、好ましくは約４０重量％〜約７０重量％の濃度で存在する。
【００２６】
（ケイ酸塩類）
本明細書に用いるのに好適なケイ酸塩としては、部分的に水溶性又は不溶性のビルダー、例えば、ゼオライトＡ、Ｂ、Ｐ、Ｘ、ＨＳ及びＭＡＰを含む、結晶性の層状シリケート及びアミノシリケート。
【００２７】
長期保存安定性の観点から、非常に好ましいのは、全ケイ酸塩（非晶性及び結晶性）を約２２％未満、好ましくは約１５％未満含有する組成物であるが、１．８〜３．０、好ましくは１．８〜２．４、最も好ましくは２．０のＳｉＯ2：Ｎａ2Ｏの比を有する非晶性ケイ酸ナトリウムもまた、本明細書において使用することができる。
【００２８】
（酵素）
本明細書中で用いるのに好ましい酵素としては、タンパク質分解酵素、例えば、エスペラーゼ（Esperase）（登録商標）、アルカラーゼ（Alcalase）（登録商標）、デュラジム（Durazym）（登録商標）及びサビナーゼ（Savinase）（登録商標）（ノボ（Novo））及びマキサターゼ（Maxatase）（登録商標）、マキサカール（Maxacal）（登録商標）、プロペラーゼ（Properase）（登録商標）及びマキサペム（Maxapem）（登録商標）（ジスト−ブロケーズ（Gist-Brocades））が挙げられる。本明細書に用いるのに好適な他の酵素には、細菌性及び真菌性セルラーゼ類、例えばケアザイム（Carezyme）及びセルザイム（Celluzyme）（ノボノルディスクＡ／Ｓ（Novo Nordisk A/S））；ペルオキシダーゼ類；リパーゼ類、例えばアマノ−Ｐ（Amano-P）（天野製薬（Amano Pharmaceutical Co.））、Ｍ１リパーゼ（M1 Lipase）（登録商標）及びリポマックス（Lipomax）（登録商標）（ヒスト・ブロカデス）、並びにリポラーゼ（Lipolase）（登録商標）及びリポラーゼ・ウルトラ（Lipolase Ultra）（登録商標）（ノボ（Novo））；クチナーゼ類；α及びβアミラーゼ類、例えばピュラフェクトＯｘＡｍ（Purafect Ox Am）（登録商標）（ジェネンコア社（Genencor））、並びにターマミル（Termamyl）（登録商標）、バン（Ban）（登録商標）、フンガミル（Fungamyl）（登録商標）、デュラミル（Duramyl）（登録商標）、及びナタラーゼ（Natalase）（登録商標）（ノボ（Novo））；ペクチナーゼ類；並びにこれらの混合物が挙げられる。本明細書での酵素は、好ましくは、小球、顆粒、又は共粒として、通常は組成物の約０．０００１重量％〜約４重量％の範囲の純酵素濃度で加えられる。
【００２９】
（漂白剤）
本明細書に用いるのに好適な漂白剤としては、塩素漂白剤及び酸素漂白剤、特に、無機過水和物塩、例えば、所望によりコーティングされ放出速度が制御された過ホウ酸ナトリウム一水和物及び四水和物及び過炭酸ナトリウム、あらかじめ形成された有機ペルオキシ酸及び有機ペルオキシ酸漂白剤前駆体及び／又は遷移金属を含有する漂白剤触媒（特にマンガン又はコバルト）とのこれらの混合物が挙げられる。無機過水和物塩は、通常は組成物の約１重量％〜約４０重量％、好ましくは約２重量％〜約３０重量％、より好ましくは約５重量％〜約２５重量％の範囲の濃度で組み込まれる。漂白剤は、好ましくは固体形態で洗剤組成物に組み込まれる。
【００３０】
本発明の第１の態様に従う方法、すなわち、廃ポーチを全体としてリサイクルする方法は、一般的に、廃ポーチ又は複数個のポーチを混合チャンバに導入し、溶媒又は可溶化剤をそこに添加することによって開始される。溶媒は、ポーチをチャンバに導入する前、導入と同時、又は導入の後に添加することができる。好ましくは、混合チャンバは、最初に溶媒で部分的に満たされ、次いでポーチが導入される。必要とされる溶媒の量は、被覆材料が部分的に、好ましくは完全に溶解するような量である。被覆材料は、洗剤組成物の少なくとも７０重量％、好ましくは少なくとも８０重量％がポーチ内部から溶媒に放出されるのを可能にするのに十分な程度まで溶解されるべきである。ポーチ及び溶媒は、一般的に、重量比で約２：１〜約１：６、好ましくは約１：２〜約１：４である。
【００３１】
混合チャンバは、一般的に、攪拌手段を備えて提供され、これらの手段は、混合物の均一化を助け、ポーチの破裂に貢献する。本明細書に用いるのに好ましい攪拌手段は、回転パドル、特に好ましくは切断エッジを備えるパドルである。混合チャンバは、単一又は順回転様式又は逆回転様式で作動する複数個の攪拌手段を備えて提供される。
【００３２】
被覆材料を溶解可能な可溶化剤を使用することができる。好ましい可溶化剤は、その入手容易性及び経済的な特性のために、水であるが、他の溶媒、例えば、メタノール、エタノール、モノエタノールアミン、ジエタノールアミン、イソプロパノール及びグリコールが、水の代わり又は水と組み合わせて使用可能である。
混合は、好ましくは、約５〜約２００℃、好ましくは約６０〜約１１０℃の温度で行われる。
【００３３】
一旦、被覆材料が部分的又は好ましくは完全に溶解し、洗剤組成物が溶媒内に放出されると、溶媒は得られた混合物から部分的又は完全に除去される。溶媒は、任意の公知の手段、例えば、ろ過、乾燥、蒸発、抽出などによって除去することができる。最初に固体組成物を含有するポーチの場合には、溶媒は、単一の工程又は工程の組み合わせ、例えばろ過の後風乾によって混合物から分離することができる。得られた生成物は固体又は半固体形態である。
【００３４】
任意の分離工程、例えば、ふるい又は遠心分離は、溶解していないポーチ材料を除去するために溶媒を分離する前に行うことができる。あるいは、大きな粒子は、ふるいのような任意の好適な手段によって乾燥工程の後に得られた固体組成物から分離することができる。
【００３５】
所望により、固体又は半固体物質は、粉末を得るために、例えば、球、棒又はハンマーミルを用いて磨砕することができる。
【００３６】
酸化剤、特に、過酸化物は、アミンを酸化し、アミンと組成物の他の構成要素との相互作用に関連するその問題を克服するために、溶媒又は可溶化剤に添加することができる。あるいは、この問題はアルデヒドを添加することによって解決することができる。
【００３７】
本方法の異なる単位操作は、別個の装置又は一体型の装置中で行うことができる。本明細書に用いるのに好適なものは、ＵＳ−Ａ−４，７９１，７３５号に記載される装置であり、フォーベルグインターナショナルＡＳ（Forberg International AS）によって供給される。
【００３８】
本発明の処理又はリサイクルから得られる材料は、新しいポーチを製造するために使用することができる。ポーチを製造するのに適した方法としては、当該技術分野において記載されるものが挙げられる。例えば、熱成形方法、例えば、ＰＣＴ国際公開特許ＷＯ０２／１６２０７、ＷＯ０２／１６２０５及びＷＯ０２／１６２２２に記載されるもの；真空成形方法、例えば、ＷＯ０２／６０７５７、ＷＯ０２／６０７５８及びＷＯ０２／４２４０８に記載されるもの；及び真空補助熱成形方法、例えば、ＷＯ００／５５０４５、ＷＯ００／５５０６及びＷＯ００／５５４１５に記載されるもの。
【００３９】
実施例：  
（実施例で使用する略語）
実施例では、省略された成分識別表示は、次の意味を有する。
炭酸塩：無水炭酸ナトリウム
ＳＴＰＰ：トリポリリン酸ナトリウム
ケイ酸塩：非晶性ケイ酸ナトリウム（ＳｉＯ2：Ｎａ2Ｏ＝２：１〜４：１）
ＨＥＤＰ：エタン１−ヒドロキシ−１，１ジホスホン酸
過ホウ酸塩：過ホウ酸ナトリウム一水和物
過炭酸塩：公称式２Ｎａ2ＣＯ3．３Ｈ2Ｏ2の過炭酸ナトリウム
ターマミル：ノボノルディスクＡ／Ｓ（Novo Nordisk A/S）から入手可能なα−アミラーゼ
サビナーゼ（Savinase）：ノボノルディスクＡ／Ｓ（Novo Nordisk A/S）から入手可能なプロテアーゼ
ＦＮ３：ジェネンコア（Genencor）から入手可能なプロテアーゼ
ＳＬＦ１８：ＢＡＳＦから入手可能なポリ−タージェント（Poly-Tergent）（登録商標）
Ｃ１４ＡＯ：テトラデシルジメチルアミンオキシド
デュラミル（Duramyl）：ノボノルディスクＡ／Ｓ（Novo Nordisk A/S）から入手可能なα−アミラーゼ
ＤＰＭ：ジプロピレングリコールメチルエーテル
ＤＰＧ：ジプロピレングリコール
メトセル（Methocel）：ダウ・ケミカル（Dow Chemical）から入手可能なセルロース性増粘剤
【００４０】
以下の実施例において、全ての濃度は重量パーセント（％）として引用される。
【実施例】
【００４１】
ポーチ製造方法：
表１の組成物を２個の区画の層状ＰＶＡ方形型ポーチに導入する。２個の区画のポーチを、クリス−クラフトインダストリアルプロダクツ（Chris-Craft Industrial Products）によって供給されるようなモノゾル（Monosol）Ｍ８６３０から製造する。１７．２ｇの粒子状組成物及び４ｇの液体組成物をポーチの２個の異なる区画に入れる。２ｋｇの負荷当たりのポーチ寸法を以下に示す：長さ３．７ｃｍ、幅３．４ｃｍ及び高さ１．５ｃｍ。長手方向／横断方向の縦横比は１．５：３．２又は１：２．４７である。ポーチは、１つの表面が連続的な水平同方向直線運動で動く２エンドレス（two-endless）表面方法を用いて製造される。本方法に従って、ポーチの第１のウェブは、第１のエンドレス表面に取り付けられた開ポーチの第１の動くウェブを形成し、充填し、それと同時に動く、充填され閉じられたポーチの第２のウェブを用いて開ポーチの第１のウェブを閉じることによって調製される。
【００４２】
【表１】
0004403143.tif 000003
【００４３】
（実施例１）
上述の３０，０００個のポーチ及び１，８００Ｌの蒸留水を７０℃でドライヤーフォーベルグ（Dryer Forberg）（ＦＴ５０００型）に入れ、混合物をスラリーに変換し、次いで、スラリーを乾燥させ、顆粒状にして、８５０μｍの振動ふるいで分離する。ふるいを通らない粉末をハンマーミルで磨砕し、前に分離した部分と再び混合する。次いで、得られた粉末を表１のポーチ組成物と以下の濃度で再混合する。
得られた組成物を使用して、上述の製造方法に従って複数区画のポーチを製造した。